(57)【要約】【課題】検出対象の変位量を検出する検出装置を提供する。【解決手段】検出装置１は、検出対象の変位量の増加に応じて、電圧値が次第に大きくなる第１信号を出力する第１検出部１１と、検出対象の変位量の増加に応じて、電圧値が次第に小さくなる第２信号を出力する第２検出部１２とを備え、電源電圧の電源電圧値が予め設定された範囲内である場合は、第１検出部１１及び第２検出部１２は、夫々、第１信号の電圧値と第２信号の電圧値との和が予め設定された一定値となるように第１信号及び第２信号を出力し、電源電圧値が予め設定された範囲の下限値未満となった場合は、第１検出部１１は、所定値以下の電圧値の第１信号を直ちに出力し、第２検出部１２は、第１信号の電圧値と第２信号の電圧値との和が一定値とは異なる電圧値となる第２信号を直ちに出力する。【選択図】図１
2018141662.tif 000002
【特許請求の範囲】
【請求項１】
検出対象の変位量の増加に応じて、電圧値が次第に大きくなる第１信号を出力する第１検出部と、
前記検出対象の変位量の増加に応じて、電圧値が次第に小さくなる第２信号を出力する第２検出部と、
前記第１検出部及び前記第２検出部に電源電圧を供給し、前記第１信号及び前記第２信号に基づいて、前記検出対象の変位量を算定する信号処理部と、
前記第１検出部の出力端子及び前記信号処理部を接続する第１信号線と接地された接地ラインとの間に設けられるプルダウン抵抗と、
前記第２検出部の出力端子及び前記信号処理部を接続する第２信号線と前記電源電圧が印加される電源ラインとの間に設けられるプルアップ抵抗と、を備え、
前記電源電圧の電源電圧値が予め設定された範囲内である場合は、前記第１検出部及び前記第２検出部は、夫々、前記第１信号の電圧値と前記第２信号の電圧値との和が予め設定された一定値となるように前記第１信号及び前記第２信号を出力し、
前記電源電圧値が前記予め設定された範囲の下限値未満となった場合は、前記第１検出部は、所定値以下の電圧値の前記第１信号を直ちに出力し、前記第２検出部は、前記第１信号の電圧値と前記第２信号の電圧値との和が前記一定値とは異なる電圧値となる前記第２信号を直ちに出力する検出装置。
【請求項２】
前記プルアップ抵抗の抵抗値と前記プルダウン抵抗の抵抗値とは互いに異なる値である請求項１に記載の検出装置。
【発明の詳細な説明】
【技術分野】
【０００１】
本発明は、検出対象の変位量を検出する検出装置に関する。
【背景技術】
【０００２】
従来、検出対象の回転量や移動量等の変位量を検出する検出装置が利用されてきた。この検出装置には検出結果を出力するだけでなく、配線の異常を知らせる機能を有するものもある（例えば特許文献１及び２）。
【０００３】
特許文献１に記載の位置検出装置は、検出結果の信頼性を高めるべく第１集積回路と第２集積回路とを備えて構成され、更に第１集積回路と第２集積回路との夫々の出力端子同士の短絡を検出可能に構成される。第１集積回路は、被検出体の位置に応じて線形に増大する電圧を出力する第１線形電圧出力回路、一端側が第１線形電圧出力回路に接続される第１保護抵抗、一端が第１保護抵抗の他端側に接続され他端が電子制御装置に接続される第１出力端子、及び第１保護抵抗の両側の電圧差に基づき第１異常検出信号を出力する第１異常検出回路を有している。また、第２集積回路は、被検出体の位置に応じて線形に減少する電圧を出力する第２線形電圧出力回路、一端側が第２線形電圧出力回路に接続される第２保護抵抗、一端が第２保護抵抗の他端側に接続され他端が電子制御装置に接続される第２出力端子、及び第２保護抵抗の両側の電圧差に基づき第２異常検出信号を出力する第２異常検出回路を有している。
【０００４】
特許文献２に記載の検出装置は、検出装置と処理装置とを接続するグランドハーネスや電源ハーネスの断線を検知できるように構成される。検出装置は、検出した物理量に応じた検出信号を出力する検出部と、検出部から出力された検出信号の信号値に応じた制御信号を電流に変換して出力する出力回路と、信号出力端子から出力される出力電圧であって、信号出力端子に流れる電流が外部の負荷抵抗に発生する電圧降下によって決まる出力電圧を帰還抵抗を介して帰還する帰還回路と、検出部から出力される検出信号の信号値及び帰還回路から帰還される帰還電圧の電圧値に基づいて、出力回路に入力する制御信号を生成して出力する負帰還制御回路とを備えて構成される。帰還抵抗の抵抗値は、グランドハーネス又は電源ハーネスの断線時に信号出力端子に流れる電流の電流値が、グランドハーネス又は電源ハーネスの正常時に信号出力端子に流れる電流の下限値未満の電流値になるように設定される。
【先行技術文献】
【特許文献】
【０００５】
【特許文献１】特開２０１３−１３０５１３号公報
【特許文献２】特開２０１６−７０８３５号公報
【発明の概要】
【発明が解決しようとする課題】
【０００６】
特許文献１に記載の位置検出装置は、第１線形電圧出力回路及び第２線形電圧出力回路の夫々の出力側に保護抵抗や異常検出回路が設けられ、異常検出回路が保護抵抗を流れる電流が異常でないか否かを検出するように構成される。このように特許文献１に記載の位置検出装置では、出力端子同士の短絡異常を検出するために、第１線形電圧出力回路及び第２線形電圧出力回路の他に保護抵抗や異常検出回路が必要となるので、検出装置のサイズが大きくなり、コストアップの要因となる。また、保護抵抗に大電流が流れない場合には、出力端子同士の短絡を検出することもできない。
【０００７】
特許文献２に記載の検出装置は、検出装置の信号出力端子にプルダウン抵抗又はプルアップ抵抗を備えて構成されるが、検出装置の信号出力端子にプルダウン抵抗を備えた場合には、グランドハーネスの内部抵抗の増加に伴う電源電位差の低下異常を検出することができない。グランドハーネスの内部抵抗が増加すると、グランドハーネスにおいて電位差が生じ、処理装置に入力される検出装置の出力電圧が大きくなり、正常出力と判別できなくなり異常が検出できないからである。一方、検出装置の信号出力端子にプルアップ抵抗を備えた場合には、電源ハーネスの内部抵抗の増加に伴う電源電位差の低下異常を検出することができない。電源ハーネスの内部抵抗が増加すると、電源ハーネスにおいて電位差が生じ、処理装置に入力される検出装置の出力電圧が小さくなり、正常出力と判別できなくなり異常が検出できないからである。また、同じ検出装置を２セット備え、電源端子とグランド端子とを共通にした２重系の検出装置で信号出力端子にプルダウン抵抗を接続した場合では、グランドハーネスの内部抵抗の増加に伴う電源電位差の低下異常を検出することができない。電源端子とグランド端子とを共通に接続して信号出力端子にプルダウン抵抗を接続した場合では、グランドハーネスの内部抵抗が増加すると、グランドハーネスにおいて電位差が生じ、処理装置に入力される検出装置の出力電圧が大きくなり、正常出力と判別できなくなり異常が検出できないからである。
【０００８】
そこで、検出対象の変位量を検出する検出装置であって、低コストで電源ライン及び接地ラインの異常を検出することが可能な検出装置が求められる。
【課題を解決するための手段】
【０００９】
本発明に係る検出装置の特徴構成は、検出対象の変位量の増加に応じて、電圧値が次第に大きくなる第１信号を出力する第１検出部と、前記検出対象の変位量の増加に応じて、電圧値が次第に小さくなる第２信号を出力する第２検出部と、前記第１検出部及び前記第２検出部に電源電圧を供給し、前記第１信号及び前記第２信号に基づいて、前記検出対象の変位量を算定する信号処理部と、前記第１検出部の出力端子及び前記信号処理部を接続する第１信号線と接地された接地ラインとの間に設けられるプルダウン抵抗と、前記第２検出部の出力端子及び前記信号処理部を接続する第２信号線と前記電源電圧が印加される電源ラインとの間に設けられるプルアップ抵抗と、を備え、前記電源電圧の電源電圧値が予め設定された範囲内である場合は、前記第１検出部及び前記第２検出部は、夫々、前記第１信号の電圧値と前記第２信号の電圧値との和が予め設定された一定値となるように前記第１信号及び前記第２信号を出力し、前記電源電圧値が前記予め設定された範囲の下限値未満となった場合は、前記第１検出部は、所定値以下の電圧値の前記第１信号を直ちに出力し、前記第２検出部は、前記第１信号の電圧値と前記第２信号の電圧値との和が前記一定値とは異なる電圧値となる前記第２信号を直ちに出力する点にある。
【００１０】
このような特徴構成とすれば、電源電圧を供給する電源ラインの内部抵抗が増大した場合や、接地電位を印加する接地ラインの内部抵抗が増大した場合に、第１信号の電圧値と第２信号の電圧値との和が上記予め設定された一定値とならないようにすることができる。したがって、第１信号の電圧値と第２信号の電圧値との和と、当該予め設定された一定値とを比較することで、電源ライン及び接地ラインの内部抵抗の増大を検出することができる。また、電源ラインの内部抵抗が増大した場合には電源電圧値が低下するため、第２信号の電圧値が電源電圧値と共に低下し、第１信号の電圧値と第２信号の電圧値との和が低下する。一方、接地ラインの内部抵抗が増大した場合には接地電位が上昇するため、第１信号の電圧値が接地電位と共に上昇し、第１信号の電圧値と第２信号の電圧値との和も上昇する。したがって、第１信号の電圧値と第２信号の電圧値との和が上記予め設定された一定値とならない場合には、第１信号の電圧値と第２信号の電圧値との和が低下しているのか上昇しているのかを特定することで、電源ラインの内部抵抗の増大であるのか、接地ラインの内部抵抗の増大であるのかを特定することが可能となる。このように本検出装置によれば、電源ラインや接地ラインの異常を検出することが可能となる。
【００１１】
また、前記プルアップ抵抗の抵抗値と前記プルダウン抵抗の抵抗値とは互いに異なる値であると好適である。
【００１２】
上述したように、第１信号は検出対象の変位量の増加に応じて、電圧値が次第に大きくなる第１信号を出力し、第２信号は検出対象の変位量の増加に応じて、電圧値が次第に小さくなる第２信号を出力する。また、電源電圧の電源電圧値が予め設定された範囲内である場合は、第１検出部及び第２検出部は、夫々、第１信号の電圧値と第２信号の電圧値との和が予め設定された一定値となるように第１信号及び第２信号を出力する。このため、検出対象の変位量によっては、第１信号の電圧値と第２信号の電圧値とが同じ値（例えば電源電圧の１／２）となることがある。一方、第１信号線と第２信号線とが短絡した場合には、第１信号の電圧値及び第２信号の電圧値が、プルアップ抵抗とプルダウン抵抗との抵抗比で電源電圧を分圧した値となるため、プルアップ抵抗とプルダウン抵抗とが同じ抵抗値である場合には第１信号及び第２信号の双方が共に電源電圧値の１／２になり、検出装置が正常であるのか異常であるのかを区別することが容易ではない。しかしながら、上記構成とすれば、第１信号線と第２信号線とが短絡した場合には、第１信号の電圧値及び第２信号の電圧値が電源電圧値の１／２にならないため、第１信号の電圧値及び第２信号の電圧値の和により、電源電圧の電源電圧値が予め設定された範囲内である場合において、第１信号線と第２信号線とが短絡されているのか否かを容易に特定することが可能となる。
【図面の簡単な説明】
【００１３】
【図１】検出装置の回路図である。
【図２】正常動作時の出力特性である。
【図３】出力端子同士の短絡時の出力特性である。
【図４】電源ラインの内部抵抗増加時の出力特性である。
【図５】接地ラインの内部抵抗増加時の出力特性である。
【発明を実施するための形態】
【００１４】
本発明に係る検出装置は、検出対象の変位量を検出しつつ、ケーブルに生じた異常も検出する機能を備えて構成される。以下、本実施形態の検出装置１について説明する。
【００１５】
図１は、検出装置１の構成を模式的に示した回路図である。本実施形態では、検出装置１は検出ユニット１０と電子制御ユニット２０とを備えて構成され、検出ユニット１０と電子制御ユニット２０とは４本のケーブル３０で接続される。検出ユニット１０は、第１検出部１１及び第２検出部１２を備え、電子制御ユニット２０は信号処理部２１を備えている。
【００１６】
第１検出部１１は、検出対象の変位量の増加に応じて、電圧値が次第に大きくなる第１信号を出力する。例えば第１検出部１１が、回転センサである場合には検出対象は回転量が相当し、荷重センサである場合には検出対象は荷重が相当する。第１検出部１１の検出対象は特に限定されるものではないが、第１検出部１１は検出対象の変位量に比例して電圧値が次第に大きくなる第１信号を出力する。
【００１７】
第２検出部１２は、検出対象の変位量の増加に応じて、電圧値が次第に小さくなる第２信号を出力する。第２検出部１２は、第１検出部１１と同じ検出対象の変位量を検出する。しかしながら、第２検出部１２は検出対象の変位量に比例して電圧値が次第に小さくなる第２信号を出力する点で上記第１検出部１１と異なる。このように第１検出部１１及び第２検出部１２は、同じ検出対象の変位量に対して、互いに傾きが異なる比例した線形電圧を出力する。
【００１８】
信号処理部２１は、第１検出部１１及び第２検出部１２に電源電圧を供給し、第１信号及び第２信号に基づいて、検出対象の変位量を算定する。図１に示されるように、電子制御ユニット２０の電源出力端子２２と検出ユニット１０の電源入力端子１３とが第１ケーブル３１で電気的に接続され、電子制御ユニット２０の接地端子２３と、検出ユニット１０の接地端子１４とが第２ケーブル３２で電気的に接続される。電源入力端子１３には、第１検出部１１のＶＤＤ１端子と第２検出部１２のＶＤＤ２端子とが接続され、これにより信号処理部２１から第１検出部１１及び第２検出部１２に電源電圧（例えば５Ｖ）が供給される。
【００１９】
また、電子制御ユニット２０の第１信号端子２４と、第１検出部１１のＯＵＴ１端子に接続された検出ユニット１０の第１信号出力端子１５とが第３ケーブル３３で電気的に接続され、電子制御ユニット２０の第２信号端子２５と、第２検出部１２のＯＵＴ２端子に接続された検出ユニット１０の第２信号出力端子１６とが第４ケーブル３４で電気的に接続される。これにより第１検出部１１及び第２検出部１２から信号処理部２１に第１信号及び第２信号が入力され、これらの信号（第１信号及び第２信号）に基づき信号処理部２１が所定の信号処理を行って検出対象の変位量を算定することが可能となる。
【００２０】
なお、検出ユニット１０内において、電源入力端子１３に接続された電源ラインと接地端子１４に接続された接地ラインとに亘ってコンデンサＣＶが設けられ、第１信号出力端子１５に接続された信号ラインと上記接地ラインとに亘ってコンデンサＣＯ１が設けられ、第２信号出力端子１６に接続された信号ラインと上記接地ラインとに亘ってコンデンサＣＯ２が設けられる。また、電子制御ユニット２０内において、第１信号端子２４に接続された信号ラインと接地端子２３に接続された接地ラインとに亘ってコンデンサＣ２が設けられ、第２信号端子２５に接続された信号ラインと接地端子２３に接続された接地ラインとに亘ってコンデンサＣ１が設けられる。これにより、電源ライン及び信号ラインで伝達される電源電圧及び信号を平滑することが可能となる。
【００２１】
プルダウン抵抗ＲＤは、第１検出部１１の出力端子及び信号処理部２１を接続する第１信号線と接地された接地ラインとの間に設けられる。第１検出部１１の出力端子とは、第１検出部１１のＯＵＴ１端子である。第１信号線とは、第１信号が伝達される線である。したがって、プルダウン抵抗ＲＤは、ＯＵＴ１端子と信号処理部２１とを接続する第１信号が伝達される線と、接地ラインとに亘って設けられる。本実施形態では、プルダウン抵抗ＲＤは電子制御ユニット２０内に設けられる。
【００２２】
プルアップ抵抗ＲＵは、第２検出部１２の出力端子及び信号処理部２１を接続する第２信号線と電源電圧が印加される電源ラインとの間に設けられる。第２検出部１２の出力端子とは、第２検出部１２のＯＵＴ２端子である。第２信号線とは、第２信号が伝達される線である。したがって、プルアップ抵抗ＲＵは、ＯＵＴ２端子と信号処理部２１とを接続する第２信号が伝達される線と、電源ラインとに亘って設けられる。本実施形態では、プルアップ抵抗ＲＵは電子制御ユニット２０内に設けられる。
【００２３】
次に、検出装置１の出力特性について説明する。図２には、電源電圧の電源電圧値が予め設定された範囲内である場合の第１検出部１１及び第２検出部１２の出力特性が示される。「電源電圧の電源電圧値が予め設定された範囲内」とは、信号処理部２１から供給される電源電圧の電圧値であって、この電圧値が、第１検出部１１及び第２検出部１２が適切に検出対象の変位量を検出し、その検出結果を出力することが可能となる電圧範囲である。この場合には、上述したように、第１検出部１１が出力する第１信号は、検出対象の変位量の増加に応じて、出力電圧の電圧値が次第に大きくなり、第２検出部１２が出力する第２信号は、検出対象の変位量の増加に応じて、出力電圧の電圧値が次第に小さくなる。このように、第１検出部１１及び第２検出部１２は、検出対象の変位量に対して互いに逆方向に変化するクロス特性を有するように出力特性が設定される。
【００２４】
また、電源電圧の電源電圧値が予め設定された範囲内である場合には、第１検出部１１及び第２検出部１２は、夫々、第１信号の電圧値と第２信号の電圧値との和が予め設定された一定値となるように第１信号及び第２信号を出力するように構成されている。
【００２５】
本実施形態では、プルアップ抵抗ＲＵの抵抗値とプルダウン抵抗ＲＤの抵抗値とは互いに異なる値で設定されている。このため、仮に第３ケーブル３３と第４ケーブル３４とが短絡された場合には、図３に示されるように、第１信号の電圧値及び第２信号の電圧値は、電源電圧の電源電圧値をプルアップ抵抗ＲＵの抵抗値とプルダウン抵抗ＲＤの抵抗値との抵抗比で分圧した値となる。また、この場合には、第１信号の電圧値と第２信号の電圧値との和は、上記図２に示した予め設定された一定値とは異なる値（少なくとも当該一定値よりも大きい値、或いは小さい値）となる。したがって、第１信号及び第２信号が伝達された信号処理部２１が、第３ケーブル３３と第４ケーブル３４とが短絡状態であることを特定することが可能となる。
【００２６】
このように本検出装置１では、プルアップ抵抗ＲＵ及びプルダウン抵抗ＲＤを備えるだけで第３ケーブル３３と第４ケーブル３４とが短絡しているか否かを特定でき、電子制御ユニット２０内に保護抵抗や異常検出回路を不要とすることができる。したがって、検出装置１のコンパクトに構成でき、低コスト化することができる。
【００２７】
一方、仮に第１ケーブル３１や第２ケーブル３２が断線したり、断線に近い状態となった場合には、第１ケーブル３１や第２ケーブル３２の内部抵抗が増大する。この場合には、第１検出部１１及び第２検出部１２に供給される電源電圧の電源電圧値が予め設定された範囲の下限値未満となる。このため、第１検出部１１及び第２検出部１２が適切に検出対象の変位量を検出し、その検出結果を出力することができなくなってしまう。このように、電源電圧の電源電圧値が予め設定された範囲の下限値未満となった場合は、第１検出部１１は、所定値以下の電圧値の第１信号を直ちに出力し、第２検出部１２は、第１信号の電圧値と第２信号の電圧値との和が上述した一定値とは異なる電圧値となる第２信号を直ちに出力するように構成されている。
【００２８】
図４には、第１ケーブル３１の内部抵抗が増大した場合の第１検出部１１及び第２検出部１２の出力特性が示される。本実施形態では、図４に示されるように、電源電圧の電源電圧値が、予め設定された範囲の下限値未満（例えば４Ｖ）となった場合は、第１検出部１１及び第２検出部１２は減電圧検知モードになり、第１信号は直ちにゼロ電位（ＬＯＷの固定値）となり、第２信号は電源電位（ＨＩＧＨの固定値）となる。この時、第１ケーブル３１の内部抵抗の増大に伴い、電源電位は低下するので、常に第１信号の電圧値と第２信号の電圧値との和は上述した一定値とは異なる電圧値となる。更に、電源電圧値が低下すると（例えば３Ｖ）、第１検出部１１及び第２検出部１２は出力段（出力回路）が高抵抗状態となる。このため、第１信号は接地電位と略同じ電位となり、第２信号は電源電圧とほぼ同じ電位となる。このように第１信号の電圧値及び第２信号の電圧値と、第１信号の電圧値と第２信号の電圧値との和とにより、信号処理部２１が、第１ケーブル３１の内部抵抗が増大していることを特定することが可能となる。
【００２９】
図５には、第２ケーブル３２の内部抵抗が増大した場合の第１検出部１１及び第２検出部１２の出力特性が示される。本実施形態では、図５に示されるように、電源電圧の電源電圧値が、予め設定された範囲の下限値未満となった場合は、第１信号は直ちに第２ケーブル３２の電位となり、第２信号は略電源電位となる。この時、第２ケーブル３２の内部抵抗の増大に伴い、第１信号の電圧値と第２信号の電圧値との和は次第に大きくなり、上述した一定値とは常に異なる電圧値となる。このように第１信号の電圧値及び第２信号の電圧値と、第１信号の電圧値と第２信号の電圧値との和とにより、信号処理部２１が、第２ケーブル３２の内部抵抗が増大していることを特定することが可能となる。
【００３０】
以上のように、本検出装置１は、第１検出部１１から出力される第１信号及び第２検出部１２から出力される第２信号がクロス特性となるように設定され、第１信号の電圧値と第２信号の電圧値との和が一定値となるように設定されているため、第１信号の電圧値と第２信号の電圧値との和が当該一定値とならない場合には検出装置１が異常であると特定することが可能となる。また、検出ユニット１０において、第１検出部１１及び第２検出部１２の電源ラインと接地ラインとを共通化しても、第３ケーブル３３と第４ケーブル３４とが短絡しているか否か、更には第１ケーブル３１及び第２ケーブル３２の内部抵抗が増大しているか否かを特定することができる。したがって、検出装置１のコネクタ端子やハーネスの数を削減でき、低コスト化することができる。
【００３１】
〔その他の実施形態〕
上記実施形態では、プルアップ抵抗ＲＵの抵抗値とプルダウン抵抗ＲＤの抵抗値とは互いに異なる値であるとして説明したが、プルアップ抵抗ＲＵの抵抗値とプルダウン抵抗ＲＤの抵抗値とは互いに同じ値であっても良い。この場合でも、信号処理部２１が第１ケーブル３１及び第２ケーブル３２の内部抵抗が増大していることを特定することは可能である。
【００３２】
上記実施形態では、プルダウン抵抗ＲＤ及びプルアップ抵抗ＲＵが電子制御ユニット２０内に設けられるとして説明したが、プルダウン抵抗ＲＤ及びプルアップ抵抗ＲＵは電子制御ユニット２０の外側に設けていても良い。
【００３３】
上記実施形態では、第１検出部１１及び第２検出部１２の検出対象の一例として、回転量や荷重を挙げたが、２つの検出部を備えているものであれば、搭載位置や検出方式に拘らず、他の用途や検出方式の検出装置に適用することが可能である。
【００３４】
本発明は、検出対象の変位量を検出する検出装置に用いることが可能である。
【符号の説明】
【００３５】
１：検出装置
１１：第１検出部
１２：第２検出部
２１：信号処理部
３１：第１ケーブル（第１信号線）
３２：第２ケーブル（第２信号線）
ＲＤ：プルダウン抵抗
ＲＵ：プルアップ抵抗
【図１】
2018141662.tif 000003
【図２】
2018141662.tif 000004
【図３】
2018141662.tif 000005
【図４】
2018141662.tif 000006
【図５】
2018141662.tif 000007